(57)【要約】【課題】用紙を収納する用紙ケースを備えるプリンタにおいて、用紙ケースのヒンジピンを抜止めできると共に用紙ケースの組立性を改善できる。【解決手段】プリンタ１は、用紙を収納する用紙ケース３と、記録ヘッドを内蔵すると共に用紙ケース３を保持する外装ケース６を備える。用紙ケース３は、外装ケース６に装着される装着部１０と、用紙２の収納空間を開閉する蓋部２０を有する。蓋部２０は、装着側ピン孔１９ａと蓋側ピン孔２９ａに挿通されるヒンジピン３０ａを中心として、装着部１０に回動自在に支持される。装着部１０は、ヒンジピン３０ａを抜止するストッパ１２ａを有する。ストッパ１２ａは、弾性力を持つ部材で形成されており、外力が作用していないときは、装着側ピン孔１９ａの中心付近までオーバーラップする位置に保持され、外力を作用させることにより、装着側ピン孔１９ａから外れた位置に変位可能である。【選択図】図３
2006001189.tif 000002
【特許請求の範囲】
【請求項１】
熱により発色する感熱記録用紙を収納する用紙ケースと、前記用紙ケースから排出される感熱記録用紙に熱を作用させて画像を記録する記録ヘッドと、前記記録ヘッドを内蔵すると共に前記用紙ケースを保持する外装ケースとを備え、
前記用紙ケースは、前記外装ケースに装着される装着部と、前記装着部に支持されて感熱記録用紙の収納空間を開閉する蓋部とを有し、
前記蓋部は、該蓋部に形成された蓋側ピン孔及び前記装着部に形成された装着側ピン孔の双方に挿通されたヒンジピンにより前記装着部に連結され、ヒンジピンを中心として前記装着部に回動自在に支持されるプリンタにおいて、
前記外装ケースは、前記蓋側ピン孔及び前記装着側ピン孔の双方に挿通されたヒンジピンの一端が当接されて、ヒンジピンを一端側にて抜止する抜止部をさらに有し、
前記装着部は、前記蓋側ピン孔及び前記装着側ピン孔の双方に挿通されたヒンジピンを他端側にて抜止するストッパをさらに有し、
前記ストッパは、
弾性力を持つ部材により形成されており、
外力を作用させていないときは、自身の持つ弾性力により前記装着側ピン孔の中心付近までオーバーラップして、前記蓋側ピン孔及び前記装着側ピン孔の双方に挿通されたヒンジピンの他端側が当接される通常位置に保持され、
外力を作用させることにより、ヒンジピンの挿通方向と直交する方向に前記装着側ピン孔から外れた位置に弾性的に変位可能であり、
前記装着側ピン孔から外れた位置にあるときに前記装着側ピン孔の内周面の形状の少なくとも一部と略合致する形状のガイド面を有し、
前記ストッパを前記装着側ピン孔から外れた位置に変位させることにより、ヒンジピンを前記ストッパのガイド面でガイドしながら前記蓋側ピン孔及び前記装着側ピン孔に対して挿入、抜出可能となり、前記ストッパが通常位置に保持されることにより、前記蓋側ピン孔及び前記装着側ピン孔の双方に挿通されたヒンジピンが抜止されることを特徴とするプリンタ。
【請求項２】
用紙を収納する用紙ケースと、前記用紙ケースから排出される用紙に画像を記録する記録ヘッドと、前記記録ヘッドを内蔵すると共に前記用紙ケースを保持する外装ケースとを備え、
前記用紙ケースは、前記外装ケースに装着される装着部と、前記装着部に支持されて用紙の収納空間を開閉する蓋部とを有し、
前記蓋部は、該蓋部に形成された蓋側ピン孔及び前記装着部に形成された装着側ピン孔の双方に挿通されたヒンジピンにより前記装着部に連結され、ヒンジピンを中心として前記装着部に回動自在に支持されるプリンタにおいて、
前記装着部は、前記蓋側ピン孔及び前記装着側ピン孔の双方に挿通されたヒンジピンを抜止するストッパをさらに有し、
前記ストッパは、
弾性力を持つ部材により形成されており、
外力を作用させていないときは、自身の持つ弾性力により前記装着側ピン孔の中心付近までオーバーラップして、前記蓋側ピン孔及び前記装着側ピン孔の双方に挿通されたヒンジピンの端縁が当接する通常位置に保持され、
外力を作用させることにより、ヒンジピンの挿通方向と直交する方向に前記装着側ピン孔から外れた位置に弾性的に変位可能であることを特徴とするプリンタ。
【請求項３】
前記ストッパは、前記装着側ピン孔から外れた位置にあるときに前記装着側ピン孔の内周面の形状の少なくとも一部と略合致する形状のガイド面を有する請求項２に記載のプリンタ。
【発明の詳細な説明】
【技術分野】
【０００１】
本発明は、例えば熱により発色する感熱記録用紙等の用紙に画像を記録するプリンタに関するものである。
【背景技術】
【０００２】
従来から、用紙に画像を記録するプリンタにおいて、例えば、熱により発色する感熱記録用紙を用い、記録ヘッドにより感熱記録用紙に熱を作用させて画像を記録するものがある。このような感熱記録用紙に画像を記録するプリンタでは、感熱記録用紙が湿気により品質劣化する性質を有しているため、感熱記録用紙を気密性の高い用紙ケースに収納するようになっている。用紙ケースは、一般に、外装ケースに装着される装着部と、用紙の収納空間を開閉する蓋部とを有しており、蓋部は、ヒンジピンを介して装着部に連結されて、ヒンジピンを中心として回動自在に装着部に支持されている。
【０００３】
また、箱体本体の蝶番に隣接して案内辺を設けると共に、蝶番ピンの頭部に案内溝を有するフックを装着し、案内辺を案内溝に嵌挿することにより、フックの弾性力により蝶番ピンを箱体本体に保持するようにした電気機器収納用箱体が知られている（例えば、特許文献１参照）。また、軸ピンの挿入方向の後部に大径部を設けると共に、枢着体を支持する支持体に軸ピンの大径部と係合する抜止部を設けることにより、軸ピンを抜止めするようにしたヒンジ構造が知られている（例えば、特許文献２参照）。
【特許文献１】特開２０００−７３６４３号公報
【特許文献２】特開平５−５９８６４号公報
【発明の開示】
【発明が解決しようとする課題】
【０００４】
ところが、上述した従来のプリンタにおいては、用紙ケースのヒンジピンの抜止め構造は、抜止め専用として独立した部材が用いられた構造となっており、用紙ケースの組立性を考慮した構造になっていなかった。なお、上述した特許文献１及び特許文献２に開示の内容を適用したとしても、上記の課題を解決することはできない。
【０００５】
本発明は、上記課題を解決するためになされたものであり、用紙ケースのヒンジピンを抜止めできると共に用紙ケースの組立性を改善できるプリンタを提供することを目的とする。
【課題を解決するための手段】
【０００６】
上記目的を達成するために請求項１の発明は、熱により発色する感熱記録用紙を収納する用紙ケースと、用紙ケースから排出される感熱記録用紙に熱を作用させて画像を記録する記録ヘッドと、記録ヘッドを内蔵すると共に用紙ケースを保持する外装ケースとを備え、用紙ケースは、外装ケースに装着される装着部と、装着部に支持されて感熱記録用紙の収納空間を開閉する蓋部とを有し、蓋部は、該蓋部に形成された蓋側ピン孔及び装着部に形成された装着側ピン孔の双方に挿通されたヒンジピンにより装着部に連結され、ヒンジピンを中心として装着部に回動自在に支持されるプリンタにおいて、外装ケースは、蓋側ピン孔及び装着側ピン孔の双方に挿通されたヒンジピンの一端が当接されて、ヒンジピンを一端側にて抜止する抜止部をさらに有し、装着部は、蓋側ピン孔及び装着側ピン孔の双方に挿通されたヒンジピンを他端側にて抜止するストッパをさらに有し、ストッパは、弾性力を持つ部材により形成されており、外力を作用させていないときは、自身の持つ弾性力により装着側ピン孔の中心付近までオーバーラップして、蓋側ピン孔及び装着側ピン孔の双方に挿通されたヒンジピンの他端側が当接される通常位置に保持され、外力を作用させることにより、ヒンジピンの挿通方向と直交する方向に装着側ピン孔から外れた位置に弾性的に変位可能であり、装着側ピン孔から外れた位置にあるときに装着側ピン孔の内周面の形状の少なくとも一部と略合致する形状のガイド面を有し、ストッパを装着側ピン孔から外れた位置に変位させることにより、ヒンジピンをストッパのガイド面でガイドしながら蓋側ピン孔及び装着側ピン孔に対して挿入、抜出可能となり、ストッパが通常位置に保持されることにより、蓋側ピン孔及び装着側ピン孔の双方に挿通されたヒンジピンが抜止されるものである。
【０００７】
請求項２の発明は、用紙を収納する用紙ケースと、用紙ケースから排出される用紙に画像を記録する記録ヘッドと、記録ヘッドを内蔵すると共に用紙ケースを保持する外装ケースとを備え、用紙ケースは、外装ケースに装着される装着部と、装着部に支持されて用紙の収納空間を開閉する蓋部とを有し、蓋部は、該蓋部に形成された蓋側ピン孔及び装着部に形成された装着側ピン孔の双方に挿通されたヒンジピンにより装着部に連結され、ヒンジピンを中心として装着部に回動自在に支持されるプリンタにおいて、装着部は、蓋側ピン孔及び装着側ピン孔の双方に挿通されたヒンジピンを抜止するストッパをさらに有し、ストッパは、弾性力を持つ部材により形成されており、外力を作用させていないときは、自身の持つ弾性力により装着側ピン孔の中心付近までオーバーラップして、蓋側ピン孔及び装着側ピン孔の双方に挿通されたヒンジピンの端縁が当接する通常位置に保持され、外力を作用させることにより、ヒンジピンの挿通方向と直交する方向に装着側ピン孔から外れた位置に弾性的に変位可能であるものである。
【０００８】
請求項３の発明は、請求項２に記載のプリンタにおいて、ストッパは、装着側ピン孔から外れた位置にあるときに装着側ピン孔の内周面の形状の少なくとも一部と略合致する形状のガイド面を有するものである。
【発明の効果】
【０００９】
請求項１の発明によれば、ストッパに力を加えてストッパを装着側ピン孔から外れた位置に変位させることにより、ヒンジピンを蓋側ピン孔及び装着側ピン孔に対して挿入、抜出できるようになる。また、ストッパに加える力を解放することにより、ストッパは装着側ピン孔の中心付近までオーバーラップする通常位置に戻り、蓋側ピン孔及び装着側ピン孔に挿通されているヒンジピンの一端側の端縁が外装ケースの抜止部に当接されると共に他端側の端縁がストッパに当接するようになって、ヒンジピンを抜止めできる。このように、ストッパに力を加えるだけで、容易にヒンジピンを挿通、抜出できると共に、ストッパに加えた力を解放するだけで、容易にヒンジピンを抜止できる。従って、機能が安定し、落下、衝撃等によってヒンジピンが抜けるのを防止できると共に、用紙ケースの組立や分解を容易に行うことができる。しかも、ストッパは装着側ピン孔の内周面の形状の少なくとも一部と略合致する形状のガイド面を有しているため、ヒンジピンをストッパのガイド面でガイドしながら挿入、抜出でき、用紙ケースの組立や分解をより一層容易に行うことができる。また、ヒンジピンの端縁をストッパに当接させてヒンジピンを抜止めするため、ヒンジピンに抜止めのための構造や部材を付加する必要がなく、単純な円柱形状のヒンジピンを用いることができ、コストダウンになる。
【００１０】
請求項２の発明によれば、ストッパに力を加えてストッパを装着側ピン孔から外れた位置に変位させることにより、ヒンジピンを蓋側ピン孔及び装着側ピン孔に対して挿入、抜出できるようになる。また、ストッパに加える力を解放することにより、ストッパは装着側ピン孔の中心付近までオーバーラップする通常位置に戻り、蓋側ピン孔及び装着側ピン孔に挿通されているヒンジピンの端縁がストッパに当接するようになって、ヒンジピンを抜止めできる。このように、ストッパに力を加えるだけで、容易にヒンジピンを挿通、抜出できると共に、ストッパに加えた力を解放するだけで、容易にヒンジピンを抜止できる。従って、機能が安定し、落下、衝撃等によってヒンジピンが抜けるのを防止できると共に、用紙ケースの組立や分解を容易に行うことができる。しかも、ヒンジピンの端縁をストッパに当接させてヒンジピンを抜止めするため、ヒンジピンに抜止めのための構造や部材を付加する必要がなく、単純な円柱形状のヒンジピンを用いることができ、コストダウンになる。
【００１１】
請求項３の発明によれば、ストッパは装着側ピン孔の内周面の形状の少なくとも一部と略合致する形状のガイド面を有しているため、ヒンジピンをストッパのガイド面でガイドしながら挿入、抜出でき、用紙ケースの組立や分解をより一層容易に行うことができる。
【発明を実施するための最良の形態】
【００１２】
以下、本発明を具体化した実施形態によるプリンタについて図面を参照して説明する。図１は、プリンタの構成を示す。プリンタ１は、例えばデジタルカメラやパソコン等から入力される画像データを基に用紙２に画像を記録するものである。プリンタ１は、用紙２を収納する用紙ケース３と、用紙２を搬送する搬送機構４と、用紙２に画像を記録する記録ヘッド５と、搬送機構４及び記録ヘッド５を内蔵すると共に用紙ケース３を保持する外装ケース６とを備える。
【００１３】
用紙２は、熱により発色する感熱記録用紙が用いられ、帯状のものをロール状に巻いたものが用紙ケース３に収納される。用紙ケース３は、外装ケース６に装着される装着部１０と、装着部１０に支持されて用紙２の収納空間を開閉する蓋部２０とを有する。用紙ケース３は、ロール状に巻かれた用紙２を繰出し機構（不図示）により繰出して排出する。搬送機構４は、用紙ケース３から排出された用紙２を搬送する。記録ヘッド５は、用紙２の搬送方向に直交する方向に配列された多数の微小発熱部を有しており、これらの微小発熱部の発熱をデジタルカメラやビデオカメラ等から入力される画像データを基に制御して、用紙２に熱を作用させて画像を記録する。
【００１４】
このような構成のプリンタ１は、用紙２を用紙ケース３から排出して搬送機構４により搬送し、記録ヘッド５により用紙２に画像を記録した後、用紙２をカッタ（不図示）により切断して外装ケース６の排出口６１から排出する。プリンタ１は、写真サイズで画像を記録する、いわゆる写真印刷が可能であり、通常サイズやパノラマサイズ等の各種写真サイズで用紙２に画像の記録し、用紙２を切断できるようになっている。
【００１５】
図２は、上記用紙ケース３の構成を示す。なお、用紙、及び用紙の繰出し機構等は、図示を省略している。用紙ケース３は、上述のように、外装ケース６に装着される装着部１０と、装着部１０に支持されて用紙２の収納空間を開閉する蓋部２０とを有している。装着部１０は、外装ケース６にネジ止め等により固定され、蓋部２０は、ヒンジピン３０ａ，３０ｂを介して装着部１０に連結され、ヒンジピン３０ａ，３０ｂを中心として回動自在に装着部１０に支持されている。
【００１６】
装着部１０は、ヒンジピン３０ａ，３０ｂが挿通される装着側ヒンジ部１１ａ，１１ｂと、ヒンジピン３０ａ，３０ｂを抜止めするストッパ１２ａ，１２ｂとを有している。一方、蓋部２０は、ヒンジピン３０ａ，３０ｂが挿通される蓋側ヒンジ部２１ａ，２１ｂを有している。また、上記外装ケース６は、ヒンジピン３０ａ，３０ｂの一端側の端縁が当接される抜止部６２ａ，６２ｂを有している。
【００１７】
図３（ａ）（ｂ）、図４（ａ）（ｂ）は、上記用紙ケース３の装着側ヒンジ部１１ａ、蓋側ヒンジ部２１ａ、ストッパ１２ａ、及びヒンジピン３０ａの構成を示す。装着側ヒンジ部１１ａは、装着部１０と一体的に形成されており、装着側ヒンジ部１１ａには、装着側ピン孔１９ａが形成されている。蓋側ヒンジ部２１ａは、蓋部２０と一体的に形成されており、蓋側ヒンジ部２１ａには、蓋側ピン孔２９ａが形成されている。ヒンジピン３０ａは、略円柱形状をしており、径が装着側ピン孔１９ａの径よりも僅かに小さく、長さがストッパ１２ａと抜止部６２ａとの間隔よりも僅かに短い寸法になっており、装着側ピン孔１９ａ及び蓋側ピン孔２９ａの双方に挿通される。
【００１８】
ストッパ１２ａは、保持体１３を介して装着部１０に取り付けられている。ストッパ１２ａは、途中で屈曲した略Ｌ字状をしており、基端部が保持体１３と一体的に繋がった固定端とされると共に先端部が自由端とされており、弾性力を持つ部材により形成されている。ストッパ１２ａの先端部は、外力を作用させていないときは、弾性力により装着側ヒンジ部１１ａの装着側ピン孔１９ａの中心付近までオーバーラップする通常位置に保持される。
【００１９】
ヒンジピン３０ａは、ストッパ１２ａの先端部が通常位置に保持されることにより、装着側ピン孔１９ａ及び蓋側ピン孔２９ａの双方に挿通された状態で、外装ケース６の抜止部６２ａとストッパ１２ａの先端部との間に位置規制される（図３（ａ）（ｂ）参照）。すなわち、ヒンジピン３０ａは、一端側の端縁が抜止部６２に当接することにより、また、他端側の端縁がストッパ１２ａに当接することにより、抜止めされる。
【００２０】
また、ストッパ１２ａの先端部は、ヒンジピン３０ａの挿通方向と直交する方向に装着側ピン孔１９ａから外れた位置に弾性的に変位可能になっており、ストッパ１２ａの先端部の上面には、装着側ピン孔１９ａから外れた位置にあるときに装着側ピン孔１９ａの内周面の形状の少なくとも一部と略合致する形状のガイド面４０が形成されている。
【００２１】
ヒンジピン３０ａは、ストッパ１２ａの先端部に力を加えて、ストッパ１２ａの先端部を装着側ピン孔１９ａから外れた位置に変位させることより、挿入、抜出が可能とされる（図４（ａ）（ｂ）参照）。このとき、ヒンジピン３０ａは、ストッパ１２ａのガイド面４０でガイドしながら蓋側ピン孔２９ａ及び装着側ピン孔１９ａに対して挿入、抜出できる。
【００２２】
上記装着側ヒンジ部１１ｂ、蓋側ヒンジ部２１ｂ、ストッパ１２ｂ、及びヒンジピン３０ｂは、各々、装着側ヒンジ部１１ａ、蓋側ヒンジ部２１ａ、ストッパ１２ａ、及びヒンジピン３０ａと同様の構成である。
【００２３】
用紙ケース３の組立ては、以下のようにして行われる。まず、装着部１０を外装ケース６に装着し、装着部１０をネジ止め等により外装ケース６に固定する。続いて、蓋部２０の蓋側ピン孔２９ａを装着部１０の装着側ピン孔１９ａに位置決めする。そして、ストッパ１２ａの先端部に力を加えて、ストッパ１２ａの先端部を押し下げ、ヒンジピン３０をストッパ１２ａのガイド面４０でガイドしながら蓋側ピン孔２９ａ及び装着側ピン孔１９ａの双方に挿入する。ヒンジピン３０ａは、一端側の端縁が外装ケース６の抜止部６２ａに当接する位置まで挿通する。
【００２４】
その後、ストッパ１２ａに加えている力を解放する。これにより、ストッパ１２ａは装着側ピン孔１９ａの中心付近までオーバーラップする通常位置に戻り、ヒンジピン３０ａの一端側の端縁が外装ケース６の抜止部６２に当接されると共に他端側の端縁がストッパ１２ａに当接するようになって、ヒンジピン３０ａが抜止めされた状態に装着される。ヒンジピン３０ｂも同様に装着し、これにより、用紙ケース３が組立てられる。
【００２５】
このように組立てられた用紙ケース３は、蓋部２０がヒンジピン３０ａ，３０ｂを中心として回動自在に装着部１０に支持され、ヒンジピン３０ａがストッパ１２ａと抜止部６２ａにより抜止され、ヒンジピン３０ｂがストッパ１２ｂと抜止部６２ｂにより抜止された状態となる（図２参照）。また、用紙ケース３の分解は、ストッパ１２ａ，１２ｂの先端部を押し下げてヒンジピン３０ａ，３０ｂを抜取り、蓋部２０を装着部１０から取外した後、装着部１０を外装ケース６から取外すことにより行われる。ストッパ１２ａ，１２ｂが弾性力を持っているため、用紙ケース３は、何度でも組立て、分解を行うことができる。
【００２６】
上記構成のプリンタ１によれば、ストッパ１２ａ，１２ｂに力を加えるだけで、容易にヒンジピン３０ａ，３０ｂを装着できると共に、ストッパ１２ａ，１２ｂに加えた力を解放するだけで、容易にヒンジピン３０ａ，３０ｂを抜止できる。また、一旦装着されたヒンジピン３０ａ，３０ｂは、ストッパ１２ａ，１２ｂに力を加えるだけで、容易に抜取ることができる。従って、ストッパ１２ａ，１２ｂに力を加え、また、ストッパ１２ａ，１２ｂに力を加えた力を解放するだけで、用紙ケース３の組立や分解を容易に行うことができる。しかも、ストッパ１２ａ，１２ｂの先端部にはガイド面４０が形成されているため、用紙ケース３の組立や分解をより一層容易に行うことができる。また、ヒンジピン３０ａ，３０ｂは、端縁をストッパ１２ａ，１２ｂに当接させてヒンジピン３０ａ，３０ｂを抜止めするため、抜止めのための構造や部材を付加する必要がなく、単純な円柱形状のものを用いることができる。
【００２７】
なお、本発明は、上記実施形態の構成に限られず、種々の変形が可能である。例えば、上記実施形態において、ストッパ１２ａ，１２ｂは、略Ｌ字状に屈曲したものや先端部が自由端とされるものに限られず、自身の弾性力によりヒンジピン３０ａ，３０ｂの端縁が当接される位置に保持されるものであれば、どのような形状のものであってもよい。また、ストッパ１２ａ，１２ｂは、保持体１３を介することなく、装着部１０と一体に形成されていてもよい。ストッパ１２ａ，１２ｂのガイド面４０は、必ずしも必要ではない。ガイド面４０を設ける場合、ガイド面４０は、ヒンジピン３０ａ，３０ｂを安定的にガイドできる形状であれば、どのような形状であってもよい。
【００２８】
また、上記実施形態において、用紙ケース３は、帯状のものをロール状に巻いた用紙２を収納するものに限られず、予め所定の寸法に裁断された多数枚の用紙を収納するものであってもよい。また、用紙２は、感熱記録用紙に限られず、普通の用紙でもよい。この場合、記録ヘッド５を、用紙２に熱を作用させて画像を記録するものに代えて、インクにより画像を記録するものを用いればよい。
【図面の簡単な説明】
【００２９】
【図１】本発明の一実施形態に係るプリンタの概略構成を示す斜視図。
【図２】同プリンタの用紙ケースの概略構成を示す斜視図。
【図３】（ａ）は同用紙ケースのヒンジピン挿入後の部分拡大した斜視図、（ｂ）は（ａ）のＡ−Ａ断面図。
【図４】（ａ）は同用紙ケースのヒンジピン挿入、抜出途中の部分拡大した斜視図、（ｂ）は（ａ）のＡ−Ａ断面図。
【符号の説明】
【００３０】
１    プリンタ
２    用紙
３    用紙ケース
４    搬送機構
５    記録ヘッド
６    外装ケース
１０    装着部
１１ａ，１１ｂ    装着側ヒンジ部
１２ａ，１２ｂ    ストッパ
１３    保持体
１９ａ    装着側ピン孔
２０    蓋部
２１ａ，２１ｂ    蓋側ヒンジ部
２９ａ    蓋側ピン孔
３０ａ，３０ｂ    ヒンジピン
４０    ガイド面
６２ａ，６２ｂ    抜止部
【図１】
2006001189.tif 000003
【図２】
2006001189.tif 000004
【図３】
2006001189.tif 000005
【図４】
2006001189.tif 000006